(57)【要約】【課題】十分な耐震性を確保しつつ、対象物の撤去又は移動を容易に行えるようにし、その際、床が損傷しないようにする。【解決手段】対象物である装置２０の支持部２２の下方に粘着シート７を敷き、この支持部２２に、上下方向に貫通する取外し用ねじ穴６を設け、床１０から装置２０を取り外す際には、取外し用ねじ穴６に取外し用ボルト２３をねじ込み、この取外し用ボルト２３を支持部２２の下方へ突出させることにより、支持部２２を床１０に対し浮き上がらせて、粘着シート７を床１０から剥がせるようにし、また、前記取外し用ねじ穴６の直下に位置するブロック体８を設け、取外し用ボルト２３のねじ込みに伴い、取外し用ボルト２３のねじ軸部の先端がブロック体８に当接しつつ回転するようにする。【選択図】図４
2010180926.tif 000002
【特許請求の範囲】
【請求項１】
耐震設置される対象物の一部としてその荷重が作用する支持部(22)の下方に、粘着性及び弾性を有する粘着シート(7)を敷き、対象物の荷重により粘着シート(7)を弾性変形させつつ、床(10)の表面及び対象物の支持部(22)の裏面に圧接させて、地震等の振動に伴う対象物の移動を阻止すると共に、対象物に作用する衝撃を緩和する耐震固定方法において、  前記対象物の支持部(22)に、上下方向に貫通する取外し用ねじ穴(6)を設け、床(10)から対象物を取り外す際には、取外し用ねじ穴(6)に取外し用ボルト(23)をねじ込み、この取外し用ボルト(23)を支持部(22)の下方へ突出させることにより、支持部(22)を床(10)に対し浮き上がらせて、粘着シート(7)を床(10)から剥がせるようにし、
また、前記取外し用ねじ穴(6)の直下に位置するブロック体(8)を設け、取外し用ボルト(23)のねじ込みに伴い、取外し用ボルト(23)のねじ軸部の先端がブロック体(8)に当接しつつ回転するようにしたことを特徴とする粘着シートによる耐震固定方法。
【発明の詳細な説明】
【技術分野】
【０００１】
この発明は、例えば、工場内に設置される製造装置や計測装置、コンピュータ等を耐震固定する方法に関するものである。
【背景技術】
【０００２】
一般に、工場内に各種装置を設置する際には、図６に示すように、床１０のコンクリート１１にアンカーボルト３０を埋め込み、装置２０の下部に取り付けたブラケット３１の貫穴３２に、床１０から上方へ突出したアンカーボルト３０を挿通し、そのねじ部にナット３３をねじ込み、装置２０を地震等の振動に伴い移動しないように固定する。
【０００３】
また、装置２０の底部に設けた高さ調整機能付きの脚部２１を床１０に当接させて、装置２０の傾きを補正すると共に、がたつきを防止する。
【０００４】
ここで、装置２０が薬液や水等を使用するものである場合には、床１０のコンクリート１１を薬液や水等の浸透による変質から保護するため、コンクリート１１の上面に、防水塗料の塗布や防水シートの貼付により防水処理層１２が設けられる。
【０００５】
また、この方法とは別の方法として、下記特許文献１には、図７に示すように、固定具４０として、板状体４１の下面に粘着性及び弾性を有する粘着シート４２を貼着すると共に、板状体４１の上面に箱状の固定部材４３を設けたものを使用し、装置２０を床１０に固定する耐震固定方法が記載されている。
【０００６】
この固定方法では、装置２０の脚部２１の下方に固定具４０の板状体４１を敷き、脚部２１を固定部材４３に係合させて、粘着シート４２の粘着力及び弾性変形により、地震等の振動に伴う装置２０の移動を阻止すると共に、装置２０に作用する衝撃を緩和する。
【先行技術文献】
【特許文献】
【０００７】
【特許文献１】特開平１１−２９９５６１号公報
【発明の概要】
【発明が解決しようとする課題】
【０００８】
しかしながら、上記アンカーボルトによる方法では、装置を撤去又は移動する際、アンカーボルトを除去する必要があり、このとき、床のコンクリートや防水処理層が損傷し、その損傷部分から薬液等が床に浸透するおそれがある。
【０００９】
また、上記固定具を使用する方法では、装置を撤去又は移動する際、まず、固定具の固定部材と装置の脚部との係合を解除し、板状体から装置を降ろして、固定具を床から引き剥がさなければならず、作業に手間を要するという問題がある。
【００１０】
このため、固定具が装置の脚部に係合したままで、装置を持ち上げて移動させようとすると、粘着シートの粘着力が強力であれば、固定具を床から引き剥がすのに大きな力を要し、粘着力が弱ければ、耐震性が不足して、大きな地震が発生した場合、装置が固定具と共に移動してしまうおそれがある。
【００１１】
そこで、この発明は、十分な耐震性を確保しつつ、対象物の撤去又は移動を容易に行えるようにし、その際、床が損傷しないようにすることを課題とする。
【課題を解決するための手段】
【００１２】
上記のような課題を解決するため、この発明は、耐震設置される対象物の一部としてその荷重が作用する支持部の下方に、粘着性及び弾性を有する粘着シートを敷き、対象物の荷重により粘着シートを弾性変形させつつ、床の表面及び対象物の支持部の裏面に圧接させて、地震等の振動に伴う対象物の移動を阻止すると共に、対象物に作用する衝撃を緩和する耐震固定方法において、前記対象物の支持部に、上下方向に貫通する取外し用ねじ穴を設け、床から対象物を取り外す際には、取外し用ねじ穴に取外し用ボルトをねじ込み、取外し用ボルトを支持部の下方へ突出させることにより、支持部を床に対し浮き上がらせて、粘着シートを床から剥がせるようにし、また、前記取外し用ねじ穴の直下に位置するブロック体を設け、取外し用ボルトのねじ込みに伴い、取外し用ボルトのねじ軸部の先端がブロック体に当接しつつ回転するようにしたのである。
【発明の効果】
【００１３】
この耐震固定方法では、対象物を撤去又は移動する際、対象物の支持部に設けた取外し用ねじ穴に、取外し用ボルトを螺合させ、スパナ等の工具で回転させることにより、支持部が床に対し浮き上って、粘着シートが密着状態から解放されるので、粘着シートを床から容易に剥がすことができる。
【００１４】
また、このとき、取外し用ボルトのねじ軸部の先端が床ではなく、粘着シートのブロック体に当接して回転するので、床が傷付くことがない。
【図面の簡単な説明】
【００１５】
【図１】この発明の実施形態に係る耐震固定方法の使用部材を示す分解斜視図
【図２】同上の固定状態を示す斜視図
【図３】同上の縦断側面図
【図４】同上の取外し過程を示す斜視図
【図５】同上の縦断側面図
【図６】従来のアンカーボルトによる耐震固定方法を示す縦断側面図
【図７】従来の粘着式固定具による耐震固定方法を示す縦断側面図
【発明を実施するための形態】
【００１６】
以下、この発明の実施形態を図１乃至図４に基づいて説明する。
【００１７】
図１乃至図３に示すように、この耐震固定方法を使用して、工場等の床１０に半導体の製造等に使用する装置２０を固定する際には、装置２０の下部にＬ字金具のブラケット１をボルト止めにより固定する。このとき、ブラケット１は、垂直部分の下端から水平部分が外側へ延びるように向ける。
【００１８】
ブラケット１の水平部分の下面には、正方形の金属製の敷板２を取付ボルト３により取り付ける。取付ボルト３は、ブラケット１の水平部分に形成した貫穴４を介して、敷板２の中央寄りに形成した取付用ねじ穴５にねじ込む。
【００１９】
ここで、敷板２は、ブラケット１に取り付けた状態において、外周部分がブラケット１の水平部分からはみ出すようにしておき、このはみ出した部分において、敷板２の各コーナー部には、上下方向に貫通する取外し用ねじ穴６を設けておく。このブラケット１と敷板２とにより、装置２０の一部としてその荷重が作用する支持部２２が形成される。
【００２０】
このように支持部２２を形成すると共に、敷板２の下方にウレタン系ゴム等の粘着性及び弾性を有する粘着シート７を敷く。
【００２１】
また、粘着シート７の一つのコーナー部分を切り欠いておき、その切欠部において敷板２の裏面には、取外し用ねじ穴６の直下に位置するブロック体８を両面テープ等で貼り付けておく。
【００２２】
ブロック体８は、粘着シート７よりやや硬質のエンジニアリングプラスチック等を材料とし、粘着シート７に装置２０の荷重が作用した状態で、粘着シート７と略同一の厚さになるものとする。
【００２３】
また、上記のような耐震固定作業と共に、装置２０の底部に設けた高さ調整機能付きの脚部２１を床１０に当接させて、装置２０の傾きを補正し、がたつきを防止する。なお、ブラケット１は、装置２０に対し、取付高さを調整できるようにしておくとよい。
【００２４】
このように装置２０を設置すると、装置２０の荷重により粘着シート７が弾性変形しつつ、床１０の表面及び敷板２の裏面に圧接し、粘着シート７の粘着力により、地震等の振動に伴う装置２０の移動が阻止され、また、粘着シート７の弾性により、装置２０に作用する衝撃が緩和される。
【００２５】
一方、装置２０を撤去又は移動する際には、図４及び図５に示すように、装置２０からブラケット１を外し、ブラケット１と敷板２とを分離して、ブロック体８の直上に位置する取外し用ねじ穴６に、取外し用ボルト２３を螺合させ、スパナ等の工具で回転させる。
【００２６】
これにより、取外し用ボルト２３が敷板２の下方へ突出し、敷板２が床１０に対し浮き上がって、粘着シート７が密着状態から解放されるので、粘着シート７を床１０から容易に剥がすことができる。
【００２７】
また、敷板２が浮き上がるとき、粘着シート７が敷板２に貼り付いたままで、ブロック体８のみが敷板２から剥がれるので、取外し用ボルト２３の回転抵抗が著しく大きくなることもない。
【００２８】
そして、このとき、取外し用ボルト２３のねじ軸部の先端が床１０ではなく、粘着シート７のブロック体８に当接して回転するので、床１０が傷付くことがなく、床１０のコンクリート１１の上面に防水処理層１２が設けられている場合でも、防水処理層１２が保護され、床１０の防水性や耐薬品性が損なわれることがない。
【００２９】
なお、上記実施形態では、粘着シート７の一つのコーナー部分にのみブロック体８を設けたが、複数のコーナー部分にブロック体８を設けるようにしてもよい。
【００３０】
また、敷板２は、方向性を意識することなくブラケット１に取り付けられるように、正方形とし、その四隅に取外し用ねじ穴６を設けたが、設置条件等を考慮して、敷板２を長方形等の他の形状とし、二隅や一隅にのみ取外し用ねじ穴６を設けてもよい。
【００３１】
また、支持部２２は、ブラケット１と敷板２とから成るものとしたが、一体の部材により対象物を支持するようにしてもよい。
【符号の説明】
【００３２】
１  ブラケット
２  敷板
３  取付ボルト
４  貫穴
５  取付用ねじ穴
６  取外し用ねじ穴
７  粘着シート
８  ブロック体
１０  床
１１  コンクリート
１２  防水処理層
２０  装置
２１  脚部
２２  支持部
２３  取外し用ボルト
【図１】
2010180926.tif 000003
【図２】
2010180926.tif 000004
【図３】
2010180926.tif 000005
【図４】
2010180926.tif 000006
【図５】
2010180926.tif 000007
【図６】
2010180926.tif 000008
【図７】
2010180926.tif 000009